【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
可変表示の開始を許容する開始条件の成立に基づいて、各々が識別可能な複数種類の識別情報の可変表示を開始して表示結果を導出し、前記表示結果として予め定められた特定表示結果が導出されたときに、遊技者にとって有利な特定遊技状態に制御する遊技機であって、
前記表示結果を前記特定表示結果とするか否かを前記表示結果の導出前に決定する事前決定手段と、
前記事前決定手段の決定結果に基づいて前記表示結果を導出する導出手段と、
前記導出手段が前記特定表示結果を導出するか否かの可能性を報知する特定演出が実行されることを表す特定の選択肢と、前記特定演出が実行されないことを表す所定の選択肢と、を含む複数の選択肢を提示し、提示した前記複数の選択肢のうちのいずれかを選択する選択演出を実行する選択演出実行手段と、
前記事前決定手段の決定結果に基づいて、前記特定演出を実行しない場合よりも前記特定演出を実行する場合の方が、前記導出手段が前記特定表示結果を導出する割合が高くなるように、前記特定演出を実行する特定演出実行手段と、
を備え、
前記特定演出実行手段は、
前記選択演出で前記特定の選択肢が選択されたときに前記特定演出を実行する第１特定演出実行手段と、
前記選択演出で前記所定の選択肢が選択されたときに、所定演出を実行してから前記特定演出を実行する第２特定演出実行手段と、
を含み、
前記第２特定演出実行手段により前記特定演出を実行する場合の方が、前記第１特定演出実行手段により前記特定演出を実行する場合よりも、前記導出手段が前記特定表示結果を導出する割合が高くなるように、前記特定演出を実行する、
ことを特徴とする遊技機。
【手続補正２】
【補正対象書類名】明細書
【補正対象項目名】０００８
【補正方法】変更
【補正の内容】
【０００８】
（１）上記目的を達成するため、本発明に係る遊技機は、
可変表示の開始を許容する開始条件の成立に基づいて、各々が識別可能な複数種類の識別情報（例えば、特別図柄や飾り図柄など）の可変表示を開始して表示結果を導出し、前記表示結果として予め定められた特定表示結果（例えば、大当り図柄や、大当り組合せの確定飾り図柄など）が導出されたときに、遊技者にとって有利な特定遊技状態（例えば、大当り遊技状態など）に制御する遊技機であって、
前記表示結果を前記特定表示結果とするか否かを前記表示結果の導出前に決定する事前決定手段（例えば、ステップＳ２３９の処理を行うＣＰＵ１０３など）と、
前記事前決定手段の決定結果に基づいて前記表示結果を導出する導出手段（例えば、ステップＳ１１２の処理を行うＣＰＵ１０３や、ＣＰＵ１０３が決定した表示結果に基づいてステップＳ１７２の処理を行う演出制御用ＣＰＵ１２０など）と、
前記導出手段が前記特定表示結果を導出するか否かの可能性を報知する特定演出（例えば、スーパーリーチＢなど）が実行されることを表す特定の選択肢（例えば、選択肢Ｂなど）と、前記特定演出が実行されないことを表す所定の選択肢（例えば、選択肢Ｃ）と、を含む複数の選択肢を提示し、提示した前記複数の選択肢のうちのいずれかを選択する選択演出を実行する選択演出実行手段（例えば、変動パターンなどに基づいてステップＳ１７２の処理を実行する演出制御用ＣＰＵ１２０など）と、
前記事前決定手段の決定結果に基づいて、前記特定演出を実行しない場合よりも前記特定演出を実行する場合の方が、前記導出手段が前記特定表示結果を導出する割合が高くなるように、前記特定演出を実行する特定演出実行手段（例えば、変動パターンなどに基づいてステップＳ１７２の処理を実行する演出制御用ＣＰＵ１２０など）と、
を備え、
前記特定演出実行手段は、
前記選択演出で前記特定の選択肢が選択されたときに前記特定演出を実行する第１特定演出実行手段（例えば、図２０参照）と、
前記選択演出で前記所定の選択肢が選択されたときに、所定演出（例えば、救済演出など）を実行してから前記特定演出を実行する第２特定演出実行手段（例えば、図２２参照）と、
を含み、
前記第２特定演出実行手段により前記特定演出を実行する場合の方が、前記第１特定演出実行手段により前記特定演出を実行する場合よりも、前記導出手段が前記特定表示結果を導出する割合が高くなるように、前記特定演出を実行する（例えば、図１１参照）、
ことを特徴とする。
【手続補正３】
【補正対象書類名】明細書
【補正対象項目名】００１０
【補正方法】変更
【補正の内容】
【００１０】
（２）上記（１）に記載の遊技機において、
前記選択演出実行手段は、実行された場合に前記導出手段が前記特定表示結果を導出する割合が異なる複数の前記特定演出（例えば、スーパーリーチＡ及びＢなど）がそれぞれ実行されることを表す複数の特定の選択肢（例えば、選択肢Ａ及びＢなど）を含む前記複数の選択肢を提示し、
前記第２特定演出実行手段は、前記所定演出を実行してから前記特定演出を実行する場合に、前記選択演出で前記複数の特定の選択肢それぞれによって実行されることが表される前記複数の特定演出それぞれのうち、実行された場合に前記導出手段が前記特定表示結果を導出する割合がもっとも高い特定演出を実行する（例えば、変動パターンＰＡ２−４及びＰＡ３−４などを参照）、
ようにしてもよい。
【手続補正４】
【補正対象書類名】明細書
【補正対象項目名】００１２
【補正方法】変更
【補正の内容】
【００１２】
（３）上記（１）又は（２）に記載の遊技機において、
前記選択演出実行手段は、実行された場合に前記導出手段が前記特定表示結果を導出する割合が第１の割合である第１の特定演出が実行されることを表す第１の特定の選択肢と、前記割合が第１の割合よりも低い第２の割合である第２の特定演出が実行されることを表す第２の特定の選択肢と、を含む複数の選択肢を提示し、
前記第１特定演出実行手段は、前記選択演出で前記第２の特定の選択肢が選択されたときに、所定演出を実行してから前記第１の特定演出を実行可能である、
ようにしてもよい（例えば、変形例１参照）。
【手続補正５】
【補正対象書類名】明細書
【補正対象項目名】００１４
【補正方法】変更
【補正の内容】
【００１４】
（４）上記（１）から（３）のいずれかの遊技機において、
前記選択演出実行手段は、選択肢の組合せが異なる複数の選択肢のグループのいずれかを提示可能であり、
前記第１特定演出実行手段により前記特定演出を実行したときにおける前記導出手段が前記特定表示結果を導出する割合が、提示された前記複数の選択肢の組合せに応じて異なる、
ようにしてもよい（例えば、変形例２参照）。
【手続補正６】
【補正対象書類名】明細書
【補正対象項目名】００１６
【補正方法】変更
【補正の内容】
【００１６】
（５）上記（１）から（４）のいずれかの遊技機において、
前記識別情報の可変表示は、複数の識別情報を可変表示するものであり、
前記特定演出は、前記複数の識別情報の可変表示がリーチ態様になったことに対応して実行されるリーチ演出であり、
前記選択演出実行手段は、前記特定の選択肢として、前記リーチ演出の種類と前記リーチ演出実行時の前記リーチ態様を構成する前記識別情報の種類との組合せを報知する選択肢を提示し、
前記第１特定演出実行手段は、前記選択演出で選択された前記特定の選択肢が報知する組合せの前記リーチ演出の種類と前記識別情報の種類とでリーチ演出が実行され、
前記リーチ演出が実行された場合の前記導出手段が前記特定表示結果を導出する割合は、前記選択演出で選択された前記特定の選択肢が報知する前記組合せに応じて異なる、
ようにしてもよい（例えば、変形例３参照）。